(57)【特許請求の範囲】
【請求項１】
普通乗車券や定期券を含む乗車券類の他にストアードフェアカードを含むカード類をも受入れて入出場処理することのできる自動改札機であって、
前記乗車券類を搬送する主搬送路と、
この主搬送路に設けられ、前記乗車券類に所定の内容を印字する乗車券類用印字部と、
前記主搬送路に設けられ、前記乗車券類に使用状態を含む所定の内容を示すパンチ孔を開ける乗車券類用パンチ部と、
前記主搬送路のうち前記乗車券類用印字部及び前記乗車券類用パンチ部の設けられた部分を迂回するように設けられた迂回路と、
この迂回路に設けられ、前記カード類に所定の内容を印字するカード類用印字部と、
前記カード類の搬送を制御する搬送制御手段と、
を備え、
前記搬送制御手段は、
前記カード類用印字部にて前記カード類の一方の面に所定の内容を印字する場合には、前記カード類が、前記主搬送路のうち前記乗車券類用印字部及び前記乗車券類用パンチ部の設けられた部分に搬送された後、前記迂回路に搬送されるように制御し、
前記カード類用印字部にて前記カード類の他方の面に所定の内容を印字する場合には、前記カード類が、前記主搬送路のうち前記乗車券類用印字部及び前記乗車券類用パンチ部の設けられた部分に搬送されることなく、前記迂回路に直接搬送されるように制御することを特徴とする自動改札機。
【請求項２】
前記乗車券類用パンチ部は、前記乗車券類のパンチ位置を規制すると共に、前記カード類の搬送を停止させるストッパを有し、
前記搬送制御手段は、前記カード類用印字部にて前記カード類の前記一方の面に所定の内容を印字する場合には、前記カード類が、前記主搬送路に設けられた前記乗車券類用パンチ部の前記ストッパまで搬送された後、前記迂回路に搬送されるように制御することを特徴とする請求項１に記載の自動改札機。
【発明の詳細な説明】
【０００１】
【発明の属する技術分野】
本発明は自動改札機に係り、特に、ストアードフェアカードのような印字の必要なカード類を効率よく処理できるようにしたものに関する。
【０００２】
【従来の技術】
近年、自動改札機は、利用者（旅客）の利便向上を図るために、普通乗車券や定期券のような乗車券類の他に、ストアードフェアカード（ＳＦカード）等のカード類（以下、「カード」という。）を自動改札機の本体（以下、「本体」という。）に直接投入して入出場（入場又は出場を意味している。）できるようになってきている。
【０００３】
このように、カードの使用できる自動改札機は、本体内に乗車券類を処理するユニットとは別に、カードを処理する印字部及びパンチ部を備えたカード処理ユニットが設けられており、そのカード処理ユニットは、通常、乗車券類を搬送路の後端側、すなわち、取出口近くに設けられている。
【０００４】
【発明が解決しようとする課題】
しかしながら、上記従来のカードを処理できる自動改札機は、本体内にカード処理ユニットを実装するためのスペースが小さいために、カード処理ユニットを小型化，精密化しなければならず、コスト高になる欠点があった。
【０００５】
また、カードによっては、残額等の所定の内容をカードの表面（カードの名称や所定の図柄が印刷されている面）側に印字する場合と、そのカードの裏面側に印字する場合とがあり、いずれの場合にも対処できるようにすると、カード処理ユニットが益々複雑化，精密化してしまうという欠点があった。
【０００６】
そこで、本発明は、上記欠点を解決するためになされたものであって、その目的は、カードの表面印字にも、また、カードの裏面印字にも容易に対処することのできる自動改札機を提供することにある。
【０００７】
【課題を解決するための手段】
本発明に係る自動改札機は、上記目的を達成するために、普通乗車券や定期券を含む乗車券類の他にＳＦカードを含むカードをも受入れて入出場処理することのできる自動改札機であって、乗車券類を搬送する主搬送路と、この主搬送路に設けられ、乗車券類に所定の内容を印字する乗車券類用印字部と、主搬送路に設けられ、乗車券類に使用状態を含む所定の内容を示すパンチ孔を開ける乗車券類用パンチ部と、主搬送路のうち乗車券類用印字部及び乗車券類用パンチ部の設けられた部分を迂回するように設けられた迂回路と、この迂回路に設けられ、カードに所定の内容を印字するカード用印字部と、カードの搬送を制御する搬送制御手段と、を備える。そして、搬送制御手段は、カード用印字部にてカードの一方の面に所定の内容を印字する場合には、カードが、主搬送路のうち乗車券類用印字部及び乗車券類用パンチ部の設けられた部分に搬送された後、迂回路に搬送されるように制御し、カード用印字部にてカードの他方の面に所定の内容を印字する場合には、カードが、主搬送路のうち乗車券類用印字部及び乗車券類用パンチ部の設けられた部分に搬送されることなく、迂回路に直接搬送されるように制御する。
【０００８】
【発明の実施の形態】
以下、本発明の実施の形態を図面に基づいて説明する。図１は、一実施の形態に係る自動改札機のカードハンドラ部分の概略構成図である。
【０００９】
投入口１及び取出口２間には、投入口１に挿入された乗車券類又はカードを取出口２又は図示しない集札箱まで搬送させる、モータＭによって駆動される主搬送路Ｌ1 が設けられている。
【００１０】
この主搬送路Ｌ1 には、投入口１から取出口２にかけて、順に、投入口１から投入された乗車券類又はカードに記録されているデータを読取る読取ヘッドＨ1 ，Ｈ1 ′（この読取ヘッドＨ1 ′は、投入口１に裏面（乗車区間等の所定の内容の印字されている面の反対面）を上に投入されたときのものである。）、乗車券類又はカードを必要に応じて一時保持するプール部ｐに導くための図示しないソレノイドで駆動されるウイングＷ1 、上記読取ヘッドＨ1 （又はＨ1 ′）で読取られたデータを基に制御器Ｃで行われた入出場の演算処理結果の新たな入出場データを書込む書込ヘッドＨ2 、その書込ヘッドＨ2 で書込まれたデータをチェックするためのベリファイヘッドＨ3 、カードを後述する迂回路に導くための図示しないソレノイドで駆動させるウイングＷ2 、乗車券類に入場駅や日付等の所定の内容を印字するサーマルヘッドからなる印字部Ｔ1 、乗車券類の使用済の状態を示すパンチ孔をあけるパンチ部Ｐ1 が設けられている。このパンチ部Ｐ1 には、パンチ位置を規制するとともに、後述するカードの搬送を停止させるストッパＳが設けられている。
【００１２】
図１中、Ｌ2 は、迂回路であって、乗車券類用の印字部Ｔ1 及びパンチ部Ｐ1 の設けられている主搬送路Ｌ1 を迂回する形で設けられている。そして、この迂回路Ｌ2 には、カードの残額の目安となる所定の内容を示すパンチ孔をあけるパンチ部Ｐ2 及びそのカードの残額等の所定の内容を印字するサーマルヘッドからなる印字部Ｔ2 が設けられている。
【００１３】
プール部ｐは、一人の利用者の入出場処理に、例えば、特急券と普通乗車券のように複数枚の乗車券類（カードを含む）を必要とするときに、先に投入された乗車券類を一時保持できるように構成されている。
【００１４】
ここに示されるプール部ｐは、三角形状の搬送路を有している。そして、その三角形状の各搬送路にストッパＳが設けられていて、それらストッパＳで乗車券類（カードを含む）を複数枚保持できるように構成されている。
【００１５】
プール部ｐに設けられているｐ′は、スイッチバック式の反転部である。したがって、この反転部ｐ′により、投入口１に裏面を上に乗車券類又はカードが投入されても、表面を上に変換することができる。なお、複数枚処理時でないときも、投入口１に裏面を上に乗車券類又はカードが投入されたときは、このプール部ｐの反転部ｐ′を介することにより、表面が上になるように変換される。このように書込ヘッドＨ2 及びベリファイヘッドＨ3 の前に反転部ｐ′を設けているので、書込ヘッドＨ2 及びベリファイヘッドＨ3 は、表面用だけで足りる特長がある。
【００１６】
上記制御器Ｃは、ＣＰＵを中心に構成されていて、本体を統括的に制御できるように構成されている。したがって、制御器Ｃは、上述のように読取ヘッドＨ1 （又はＨ1 ′）で読取られたデータを用いて入出場の演算処理を行うだけでなく、モータＭの駆動制御、ストッパＳの図示しないソレノイドの駆動制御、ウイングＷ1 ，Ｗ2 ，Ｗ3 の図示しないソレノイドの駆動制御等を行うことができる。
【００１７】
図２は、上記構成からなる自動改札機が普通券又は定期券等のカード以外の乗車券類を処理する流れを示している。この乗車券類の流れは、図２に太い線で示されている。この流れは、自動改札機の周知の流れなので、これ以上の説明は省略する。
【００１８】
図３に示される太い線で示される流れは、カードの裏面（本発明の「一方の面」又は「他方の面」に相当する。）に残額等の所定の内容を印字する場合を示している。すなわち、書込ヘッドＨ1 （又はＨ1 ′）で読取られたデータによる制御器Ｃの判定が裏面書込のカードと判定されたとき、カードは、ウイングＷ2 を介して主搬送路Ｌ1 から迂回路Ｌ2 に搬送される。そして、その迂回路Ｌ2 において、パンチ部Ｐ2 により必要に応じてパンチ孔があけられ、印字部Ｔ2 によりカードの裏面に所定の内容が印字され、その印字後、取出口２に排出される。
【００１９】
図４に示される太い線で示される流れは、カードの表面（本発明の「他方の面」又は「一方の面」に相当する。）に残額等の所定の内容を印字する場合を示している。すなわち、書込ヘッドＨ1 （又はＨ1 ′）で読取られたデータによる制御器Ｃの判定が表面書込のカードと判定されたとき、カードは、ウイングＷ2 部分を一旦通過してパンチ部Ｐ1 のストッパＳまで搬送された後、主搬送路Ｌ1 から迂回路Ｌ2 に搬送される。そして、その迂回路Ｌ2 において、パンチ部Ｐ2 により必要に応じてパンチ孔があけられ、印字部Ｔ2 によりカードの表面に所定の内容が印字され、その印字後、取出口２に排出される。
【００２０】
なお、上述の例は、読取ヘッドＨ1 ，Ｈ1 ′と書込ヘッドＨ2 との間に反転部（ｐ′）が設けられている場合であるが、このような反転部ｐ′を有さず、かつ、読取ヘッド及びベリファイヘッドも裏面用を有するときで、カードの裏面に印字するとき、カードが投入口１に表面を上にして投入されたときは、図３の流れで迂回路Ｌ2 に導かれ、また、カードが投入口１に裏面を上にして投入されたときは、図４の流れで迂回路Ｌ2 に導かれる。さらに、カードの表面に印字するとき、カードが投入口１に表面を上にして投入されたときは、図４の流れで迂回路Ｌ2 に導かれ、また、カードが投入口１に裏面を上にして投入されたときは、図３の流れで迂回路Ｌ2 に導かれる。
【００２１】
【発明の効果】
本発明に係る自動改札機は、乗車券類を搬送する主搬送路と、この主搬送路に設けられ、乗車券類に所定の内容を印字する乗車券類用印字部と、主搬送路に設けられ、乗車券類に使用状態を含む所定の内容を示すパンチ孔を開ける乗車券類用パンチ部と、主搬送路のうち乗車券類用印字部及び乗車券類用パンチ部の設けられた部分を迂回するように設けられた迂回路と、この迂回路に設けられ、カードに所定の内容を印字するカード用印字部と、カードの搬送を制御する搬送制御手段と、を備える。そして、搬送制御手段は、カード用印字部にてカードの一方の面に所定の内容を印字する場合には、カードが、主搬送路のうち乗車券類用印字部及び乗車券類用パンチ部の設けられた部分に搬送された後、迂回路に搬送されるように制御し、カード用印字部にてカードの他方の面に所定の内容を印字する場合には、カードが、主搬送路のうち乗車券類用印字部及び乗車券類用パンチ部の設けられた部分に搬送されることなく、迂回路に直接搬送されるように制御するので、カードの印字面がいずれであっても容易に対処することができる。
【図面の簡単な説明】
【図１】本発明の一実施の形態に係る自動改札機のカードハンドラ部分の概略構成図である。
【図２】乗車券類の流れを説明するための説明図である。
【図３】カードの流れを説明するための説明図である。
【図４】カードの流れを説明するための説明図である。
【符号の説明】
１  投入口
２  取出口
Ｃ  制御器
Ｈ1 ，Ｈ1 ′  読取ヘッド
Ｈ2   書込ヘッド
Ｈ3   ベリファイヘッド
Ｌ1   主搬送路
Ｌ2   迂回路
Ｔ1 ，Ｔ2   サーマルヘッド（印字部）
Ｐ1 ，Ｐ2   パンチ部
ｐ  プール部
ｐ′  反転部
Ｓ  ストッパ
Ｍ  モータ
【図１】
0004443721.tif 000002
【図２】
0004443721.tif 000003
【図３】
0004443721.tif 000004
【図４】
0004443721.tif 000005